(57)【要約】【課題】軽量で建物に負荷がかからず、建物の壁に簡単に着脱操作できる太陽電池パネルの取付装置を提供する。【解決手段】シート状の太陽電池パネル１２を建物の壁Ｗに取り付ける太陽電池パネルの取付装置であって、棒状部材を平面枠状に組み付けて設けられるとともに、太陽電池パネル１２を張設して支持し、建物の壁Ｗと対向して配置される線条フレーム１４と、太陽電池パネル１２の可撓性シート体２６の外縁側に所定間隔で形成された複数の支持用孔１６と、太陽電池パネル１２の支持用孔１６を介して該太陽電池パネル１２と線条フレーム１４とを結束する環状の結束部材１８と、線条フレーム１４に設けられた取付部２０と、建物の壁Ｗに固定され、太陽電池パネル１２を支持した線条フレーム１４を着脱操作可能に取付部２０を係止する受部材２２と、を備えた太陽電池パネルの取付装置１０から構成される。【選択図】図１
0003165597.tif 000002
【実用新案登録請求の範囲】
【請求項１】
太陽電池を可撓性シート体に支持させたシート状の太陽電池パネルを建物の壁に取り付ける太陽電池パネルの取付装置であって、
棒状部材を平面枠状に組み付けて設けられるとともに、太陽電池パネルを張設して支持し、建物の壁と対向して配置される線条フレームと、
太陽電池パネルの可撓性シート体の外縁側に所定間隔で形成された複数の支持用孔と、
太陽電池パネルの支持用孔を介して該太陽電池パネルと線条フレームとを結束する環状の結束部材と、
線条フレームに設けられた取付部と、
建物の壁に固定され、太陽電池パネルを支持した線条フレームを着脱操作可能に取付部を係止する受部材と、を備えたことを特徴とする太陽電池パネルの取付装置。
【請求項２】
取付部又は受部材のいずれか一方に設けられ、係止孔が形成された雌部と、
取付部又は受部材のいずれか他方に設けられ、雌部の係止孔内に挿入されて雌部と係合する突部が形成された雄部と、を有することを特徴とする請求項１記載の太陽電池パネルの取付装置。
【請求項３】
取付部は、建物の壁に対して対向配置される縦板と、縦板の板面を貫通して設けられ広幅の下部孔と狭幅の上部孔とを連通して一体形成されたダルマ状孔と、を含むブラケットを有し、
受部材は、建物の壁から突出するように配置されダルマ状孔の上部孔と略同じ外径で形成された胴軸部と、胴軸部の先端にダルマ状孔の下部孔より小さくかつ上部孔より大きく拡大された先端拡大部と、を有することを特徴とする請求項１又は２記載の太陽電池パネルの取付装置。
【請求項４】
取付部は、線条フレームから外側に向けて突設した軸杆部を含み、
受部材には、取付部の軸杆部を内部に挿入して該軸杆部を係止するための係止孔が設けられたことを特徴とする請求項１又は２記載の太陽電池パネルの取付装置。
【請求項５】
太陽電池パネルが取付られる建物の壁は、壁面を略鉛直方向に立てた壁からなり、
取付部の軸杆部は、線条フレームを含む平面に沿った横方向に向けて線条フレームから突出されており、
受部材の係止孔は、貫通方向を建物の壁と略平行で横方向に設定された貫通横孔であり、横方向に隣接して設置される２つの線条フレームの軸杆部を同時に貫通状態で受け入れる大径の貫通横孔からなることを特徴とする請求項４記載の太陽電池パネルの取付装置。
【考案の詳細な説明】
【技術分野】
【０００１】
本考案は、建物の壁に太陽電池パネルを取り付けるための太陽電池パネルの取付装置に関する。
【背景技術】
【０００２】
石油資源の枯渇や地球温暖化等の地球環境の面から、石油資源に替わるクリーンなエネルギーの研究開発が進められている。特に、太陽電池は、エネルギー源となる太陽光を容易に得やすく、温暖化ガスを排出しないうえ、設備の設置も比較的簡単であることから新エネルギーの期待度及び実際の需要も大きい。従来、太陽電池パネルは、太陽電池セルを透明ガラス等で挟持して保護し金属枠材や裏板等に組み付けてパネル化されていたことから、パネル自体の重量が重く、屋根等の構造物に取り付けるための架台も強固な構造とする必要があった。すなわち、従来の太陽電池パネルの架台構造は、形鋼で形成した取付枠やそれを取り付けるために多数のボルト等を用いたものが多く、構造が重量化かつ複雑化するとともにコストがかかっていた。さらに、部材点数が多くかつ各部材の重量も重いことから、施工作業も労力、時間がかかる等の問題があった。一方、例えば、特許文献１には、太陽電池パネルを架台を省略して取り付ける技術が提案されている。特許文献１の太陽電池パネルの取付構造は、太陽電池モジュールの周縁に周枠を設けて太陽電池パネルを形成し、前記周枠に挿通孔付きのフランジを設け、フランジを介して建物の屋根に直接ビス等で固定するものであった。
【先行技術文献】
【特許文献】
【０００３】
【特許文献１】特開２００７−１９２００１号公報
【考案の概要】
【考案が解決しようとする課題】
【０００４】
しかしながら、特許文献１の太陽電池パネルの取り付け構造では、太陽電池パネル自体及びそれを囲む周枠等各部材の重量が重く、建物の壁等に設置する際には壁側に大きな負荷がかかるものであった。さらに、１つの太陽電池パネルについて、確実に固定するために多数のビスを壁に固定する必要があるとともに、一度に取り付けできる太陽電池パネルの面積も比較的狭くなり、取付作業が煩雑で作業効率も悪く、労力、時間がかかっていた。さらに、建物の壁のメンテナンスの際に、太陽電池パネルを取り外す必要がある際にも作業が煩雑で労力、時間がかかるうえ、壁側にビス孔が残るので、一旦取り外した後に再び同じ位置に取り付けるのが困難となったり、壁を早期に劣化させる等の問題が生じるものであった。
【０００５】
本考案は上記従来の課題に鑑みてなされたものであり、その一つの目的は、軽量で建物に負荷がかからず、建物に簡単、短時間で着脱操作できるうえ、構造が簡単で、低コストで製造できる太陽電池パネルの取付装置を提供することにある。
【課題を解決するための手段】
【０００６】
上記課題を解決するために本考案は、太陽電池２４を可撓性シート体２６に支持させたシート状の太陽電池パネル１２を建物の壁Ｗに取り付ける太陽電池パネルの取付装置であって、棒状部材を平面枠状に組み付けて設けられるとともに、太陽電池パネル１２を張設して支持し、建物の壁Ｗと対向して配置される線条フレーム１４と、太陽電池パネル１２の可撓性シート体２６の外縁側に所定間隔で形成された複数の支持用孔１６と、太陽電池パネル１２の支持用孔１６を介して該太陽電池パネル１２と線条フレーム１４とを結束する環状の結束部材１８と、線条フレーム１４に設けられた取付部２０と、建物の壁Ｗに固定され、太陽電池パネル１２を支持した線条フレーム１４を着脱操作可能に取付部２０を係止する受部材２２と、を備えた太陽電池パネルの取付装置１０から構成される。本考案の取付装置１０により、軽量化及び着脱操作の簡略化、時間短縮化を実現できる。なお、例えば、１つの線条フレームには、１枚の太陽電池パネル１２だけを支持しもよいが、複数枚を同時に支持させると作業効率が良い。結束部材は、例えば、結束バンド、針金等の索条、その他リング状部材等任意のものでもよい。
【０００７】
また、取付部２０又は受部材２２のいずれか一方に設けられ、係止孔３４、３６、６０、６４が形成された雌部と、取付部２０又は受部材２２のいずれか他方に設けられ、雌部の係止孔内に挿入されて雌部と係合する突部４４ａ、４４ｂ、５６、５６ａ、５６ｂが形成された雄部と、を有することとしてもよい。
【０００８】
また、取付部２０は、建物の壁Ｗに対して対向配置される縦板４２と、縦板４２の板面を貫通して設けられ広幅の下部孔３４１と狭幅の上部孔３４２とを連通して一体形成されたダルマ状孔３４と、を含むブラケット３２ａを有し、受部材２２は、建物の壁Ｗから突出するように配置されダルマ状孔３４の上部孔３４２と略同じ外径で形成された胴軸部４６と、胴軸部４６の先端にダルマ状孔３４の下部孔３４１より小さくかつ上部孔３４１より大きく拡大された先端拡大部４８と、を有することとしてもよい。
【０００９】
また、取付部２０は、線条フレーム１４から外側に向けて突設した軸杆部５６、５６ａ、５６ｂを含み、受部材２２には、取付部２０の軸杆部５６、５６ａ、５６ｂを内部に挿入して該軸杆部５６、５６ａ、５６ｂを係止するための係止孔６０、６４が設けられたこととしてもよい。
【００１０】
また、太陽電池パネルが取付られる建物の壁Ｗは、壁面を略鉛直方向に立てた壁からなり、取付部２０の軸杆部５６は、線条フレーム１４を含む平面に沿った横方向に向けて線条フレーム１４から突出されており、受部材２０の係止孔は、貫通方向を建物の壁Ｗと略平行で横方向に設定された貫通横孔６０であり、横方向に隣接して設置される２つの線条フレーム１４の軸杆部５６を同時に貫通状態で受け入れる大径の貫通横孔６０からなることとしてもよい。
【考案の効果】
【００１１】
本考案の太陽電池パネルの取付装置によれば、太陽電池を可撓性シート体に支持させたシート状の太陽電池パネルを建物の壁に取り付ける太陽電池パネルの取付装置であって、棒状部材を平面枠状に組み付けて設けられるとともに、太陽電池パネルを張設して支持し、建物の壁と対向して配置される線条フレームと、太陽電池パネルの可撓性シート体の外縁側に所定間隔で形成された複数の支持用孔と、太陽電池パネルの支持用孔を介して該太陽電池パネルと線条フレームとを結束する環状の結束部材と、線条フレームに設けられた取付部と、建物の壁に固定され、太陽電池パネルを支持した線条フレームを着脱操作可能に取付部を係止する受部材と、を備えたことから、予め太陽電池パネルを支持した線条フレームを取付部を介して受部材に係止させるだけで建物の壁に簡単に取り付けることができるので、高所位置等でのビス止め作業等煩雑な作業を低減して、作業を簡略化、時間短縮化して作業性を向上し得る。また、複雑な補強構造を必要とせず、簡単な構造で、低コストで製造できるとともに、全体的に軽量に構成でき、建物の壁に負荷がかからないと同時に１つのユニットで比較的広範囲に太陽電池パネルを取り付けることができ、作業効率も高い。さらに、建物の壁や装置部材等の点検やメンテナンスが必要な時には簡単に取り外すことができ、簡単に点検、メンテナンス等を行うことができる。
【００１２】
また、取付部又は受部材のいずれか一方に設けられ、係止孔が形成された雌部と、取付部又は受部材のいずれか他方に設けられ、雌部の係止孔内に挿入されて雌部と係合する突部が形成された雄部と、を有する構成とすることにより、簡単な構造で、取付部と受部材と係止構造を実現できるとともに、簡単な操作で着脱操作を行える。
【００１３】
また、取付部は、建物の壁に対して対向配置される縦板と、縦板の板面を貫通して設けられ広幅の下部孔と狭幅の上部孔とを連通して一体形成されたダルマ状孔と、を含むブラケットを有し、受部材は、建物の壁から突出するように配置されダルマ状孔の上部孔と略同じ外径で形成された胴軸部と、胴軸部の先端にダルマ状孔の下部孔より小さくかつ上部孔より大きく拡大された先端拡大部と、を有する構成とすることにより、構造が簡単で、低コストで取付装置を製造できるとともに工具等を使わず簡単な操作で着脱操作を行える。
【００１４】
また、取付部は、線条フレームから外側に向けて突設した軸杆部を含み、受部材には、取付部の軸杆部を内部に挿入して該軸杆部を係止するための係止孔が設けられた構成とすることにより、工具等を使わず簡単な操作で着脱操作を行える。さらに、構造が簡単で、低コストで取付装置を製造できる。
【００１５】
また、太陽電池パネルが取付られる建物の壁は、壁面を略鉛直方向に立てた壁からなり、取付部の軸杆部は、線条フレームを含む平面に沿った横方向に向けて線条フレームから突出されており、受部材の係止孔は、貫通方向を建物の壁と略平行で横方向に設定された貫通横孔であり、横方向に隣接して設置される２つの線条フレームの軸杆部を同時に貫通状態で受け入れる大径の貫通横孔からなる構成とすることにより、建物の壁側に固定する受部材の数を減らして少ない部材点数で効率良く支持することができるとともに、作業効率を向上しうる。
【図面の簡単な説明】
【００１６】
【図１】本考案の第１の実施形態に係る太陽電池パネルの取付装置の斜視図である。
【図２】図１の太陽電池パネルの取付装置の正面図である。
【図３】図１の太陽電池パネルの取付装置の受部材から離脱した状態の背面図である。
【図４】図１の太陽電池パネルの取付装置のＡ−Ａ線断面図である。
【図５】図１の太陽電池パネルの取付装置の一部拡大図である。
【図６】図１の太陽電池パネルの取付装置の取付部の説明図である。
【図７】図１の太陽電池パネルの取付装置の取付部の説明図である。
【図８】本考案の第２の実施形態に係る太陽電池パネルの取付装置の斜視図である。
【図９】図８の太陽電池パネルの取付装置の取付状態での一部拡大斜視図である。
【図１０】図９の取付装置のＢ−Ｂ線断面図である。
【図１１】本考案の第３の実施形態に係る太陽電池パネルの取付装置の斜視図である。
【図１２】図１１の太陽電池パネルの取付装置の取付状態での一部拡大斜視図である。
【考案を実施するための形態】
【００１７】
以下、添付図面を参照しつつ本考案の太陽電池パネルの取付装置の実施の形態について説明する。本実施形態の太陽電池パネルの取付装置は、例えば、ビル等の建物の南側の外壁に太陽電池を設置する手段である。図１ないし図７は、本考案の太陽電池パネルの取付装置の第１の実施形態を示している。図１、図２、図４に示すように、本実施形態において、太陽電池パネルの取付装置（以下、単に「取付装置」ともいう）１０は、薄くて軽量で可撓性を有するシート状に形成された太陽電池パネル１２を建物の壁Ｗに取り付けるものであり、線条フレーム１４と、太陽電池パネル１２に設けられた支持用孔１６と、結束部材１８と、線条フレーム１４に設けられた取付部２０と、建物の壁Ｗに設けられた受部材２２と、を備えている。建物の壁Ｗは、本実施形態では、例えば、コンクリート等で形成され、壁面を鉛直方向に立てて形成されたコンクリート壁の場合で説明する。なお、建物の壁Ｗは、例えば、スレート製の外壁、木製の外壁等、その他任意の壁でもよい。
【００１８】
図１、図２、図４に示すように、太陽電池パネル１２は、太陽電池２４を可撓性シート体２６に支持させてシート状に設けられている。本実施形態では、太陽電池パネルは、例えば、プラスチック製薄膜フィルム等からなる可撓性を有する絶縁性基板上にアモルファスシリコン系太陽電池を形成したものが利用される。例えば、太陽電池パネル１２は、太陽電池２４の裏面（非受光面）側に該太陽電池２４が配置される部分より若干大きな横長矩形状のプラスチック等の合成繊維からなる可撓性シート体２６が固定されることにより、太陽電池２４が可撓性シート体２６に担持されている。本実施形態では、例えば、３枚の太陽電池パネル１２を縦に並べた状態で線条フレーム１４に支持されて、一つのユニットを構成している。それぞれの太陽電池パネル１２は、例えば、縦幅が約５０ｃｍ程度、横幅が約２ｍ程度の大きさの横長矩形状に形成されている。３枚の太陽電池パネル１２を縦に並べた状態では、縦幅が約１．５ｍ程度、横幅が約２ｍ程度の大きさの矩形状となる。それぞれの太陽電池パネル１２には、可撓性シート体２６の長手方向の両端部側に正極（＋）と負極（−）の端子部２８Ｐ、２８Ｍが設けられており、電気的に直列接続となるように太陽電池パネル１２の裏面側で図示しないコードを介して接続されている。さらに、太陽電池パネル１２の可撓性シート体２６の外縁側には、所定間隔で複数の支持用孔１６が形成されている。支持用孔１６は、例えば、円形孔からなり、横長矩形状の可撓性シート体２６の４つの隅部位置にそれぞれ１個、短辺側の中間位置に１個、長辺側の中間位置に略等間隔で離隔して３個ずつ形成されている。
【００１９】
図１、図３、図４に示すように、線条フレーム１４は、例えば、複数の棒状部材３０ａ〜３０ｇを平面枠状に組み付けて構成されており、自在に撓むシート状の太陽電池パネル１２を受光面を外側に向けて広げるように張設した状態で支持する。本実施形態では、線条フレーム１４を構成している棒状部材３０ａ〜３０ｇは、例えば、直杆状の鉄筋からなり、互いに溶接等により縦横に組み付けて、太陽電池パネル１２の大きさに合わせた矩形格子枠体を形成する。具体的には、線条フレーム１４は、例えば、３枚の太陽電池パネル１２を縦に並べた矩形状の大きさに対応して、縦方向の長さが約１．５ｍ程度、横方向の長さが約２ｍ程度の外枠を形成するように、縦方向に配置される１対の棒状部材３０ａ、３０ｂと、横方向に配置される１対の棒状部材３０ｃ、３０ｄと、を直角に接続して矩形外枠が構成されている。さらに、それぞれの太陽電池パネル１２の大きさに対応して、矩形外枠を縦方向に等間隔で３分割するように２本の棒状部材３０ｅ、３０ｆが平行に配置されて接続される。さらに、線条フレーム１４の左右長手方向の中間位置には、棒状部材３０ｇが長手方向を縦にして接続されており、線条フレーム１４のたるみ防止として機能して高いフレーム強度を実現させている。この棒状部材３０ｇは、図３に示すように、後述の取付部２０の取付位置を左右真ん中位置に設定するために、線条フレーム１４の左右真ん中位置よりも若干右又は左にずれた位置に配置されている。なお、本実施形態では、線条フレーム１４に支持した太陽電池パネル１２の受光面側を正面、その裏面側を背面とする。線条フレーム１４には、太陽電池パネル１２の可撓性シート体２６の裏面の外縁側が略当着された状態で結束部材１８を介して支持される。線条フレーム１４は、背面側を建物の壁Ｗに向けて太陽電池パネル１２の受光面を縦に立てるように建物の壁Ｗに対向させて配置される。
【００２０】
結束部材１８は、支持用孔１６を介して太陽電池パネル１２と線条フレーム１４とを結束する結束手段である。すなわち、結束部材１８は、ビス等を使わずに太陽電池パネル１２を線条フレーム１４に簡単に支持させるための支持手段となっている。本実施形態では、図１、図４、図５に示すように、結束部材１８は、例えば、耐候性のある樹脂又は金属で形成されると同時にある程度自在に撓む、インシュロック等の結束バンドからなる。結束部材１８は、図５に示すように、太陽電池パネル１２の支持用孔１６を挿通させるとともに線条フレーム１４の棒状部材３０ａ〜３０ｆの周りに巻回した状態で、そのバンド両端部を接続して環状にされて結束される。なお、図４に示すように、縦方向に太陽電池パネル１２が並んだ部分では、結束部材１８が隣り合う２つの太陽電池パネルの支持用孔１６を挿通して、棒状部材３０ｅ、３０ｆに巻回して環状に両端部を接続して結束されている。
【００２１】
図１、図３、図４に示すように、線条フレーム１４には、裏面側の複数個所に取付部２０が設けられている。本実施形態では、取付部２０は、例えば、係止孔（３４、３６）が設けられた雌部を形成して線条フレーム１４に固定されたブラケット３２ａ、３２ｂからなる。ブラッケット３２ａ、３２ｂは、例えば、矩形枠状の線条フレーム１４の裏面側において、４つの隅部位置と、上部側の横枠となる棒状部材３０ｃの長手方向中央位置と、の計５箇所位置に設けられている。図２にも示すように、ブラケット３２ａ、３２ｂは、例えば、線条フレーム１４から正面視で外側に突出しないように、ブラケットの外形輪郭と線条フレーム１４の外枠を位置合わせして配置されている。よって、建物の壁Ｗに取付けた際にブラケットが見えないので外観意匠を損なわないようになっている。
【００２２】
線条フレーム１４の上部側に配置される上部ブラケット３２ａは、例えば、金属板を折り曲げて形成されている。詳細には、隅部位置に設置される上部ブラケット３２ａは、例えば、線条フレーム１４に溶接等で固定される細幅の固定板部３８と、固定板部３８の上端縁から背面側に突出した接続板部４０と、接続板部４０の端部から直角に垂設された縦板部４２と、を含む。接続板部４０は、例えば、太陽電池パネル１２と建物の壁Ｗとをある程度離隔幅して配置させる。縦板部４２は、線条フレーム１４を建物の壁Ｗに対向配置させる状態で、建物の壁Ｗに対して略平行状に対向配置されるようになっている。縦板４２には、板面を貫通する係止孔３４が形成されている。係止孔３４は、例えば、横幅が比較的広く形成された広幅の下部孔３４１と、下部孔３４１よりも狭い幅で形成された狭幅の上部孔３４２と、が上下に互いに連通して形成されたダルマ状孔からなる。線条フレーム１４の左右中央位置に設置される上部ブラケット３２ａは、例えば、線条フレーム１４を含む平面に対して直交方向にかつ縦に配置されて縦方向の棒状部材３０ｇに固定される固定板部３８と、固定板部３８から平面視Ｌ字状に接続され建物の壁Ｗに対して略平行状に対向配置されるダルマ状孔３４付きの縦板部４２と、を含む。この左右中央位置の上部ブラケット３２ａは、平面視Ｌ字形状で上方側に開口４３が形成されるので、線条フレームを壁に取り付ける際等に内部側を確認しやすいようになっている。
【００２３】
線条フレーム１４の下部側に配置される下部ブラケット３２ｂは、例えば、隅部位置の上部ブラケット３２ａを上下反転したように金属板を折り曲げて形成されており、例えば、線条フレーム１４に溶接等で固定される細幅の固定板部３８と、固定板部３８の下端縁から背面側に突出した接続板部４０と、接続板部４０の端部から直角上方向に立つ縦板部４２と、を含む。縦板部４２には、板面を貫通する係止孔が形成されている。係止孔３６は、例えば、円形孔からなり、上部ブラケット３２ａとは異なった形状で形成されている
【００２４】
受部材２２は、建物の壁Ｗに固定され、線条フレーム１４に設けられた取付部２０を着脱可能に係止する。図１、図４に示すように、受部材２２は、太陽電池パネル１２と線条フレーム１４と結束部材１８と取付部２０等で構成される太陽電池パネルユニット３１を着脱可能に受ける壁側支持手段となっている。本実施形態では、受部材２２は、例えば、突部４４ａ、４４ｂが形成された雄部を構成しており、雌部としてのブラケット３２ａ、３２ｂの係止孔３４、３６に突部４４ａ、４４ｂを挿入されてブラケット３２ａ、３２ｂと着脱自在に係合する。受部材２２は、ブラケット３２ａ、３２ｂの数及び取付位置に対応して設置されており、本実施形態では、３つの上部ブラケット３２ａと、２つの下部ブラケット３２ｂとに対応して壁Ｗの所定間隔位置に合計５つ設けられている。
【００２５】
図４、図６に示すように、上部ブラケット３２ａに係合する上部突部４４ａは、例えば、上部ブラケット３２ａのダルマ状孔３４の上部孔３４１と略同じ外径の胴軸部４６と、胴軸部４６の先端に胴軸部４６の径よりも拡大形成された先端拡大部４８と、を備えている。胴軸部４６は、例えば、建物の壁Ｗに垂直に打ち込こまれるアンカーボルトの壁Ｗから外部に突出されたボルト軸から設けられている。先端拡大部４８は、例えば、胴軸部４６であるアンカーボルトの突出ボルト軸に螺合するナットからなる。先端拡大部４８は、先端ダルマ状孔の下部孔３４１よりは小さく、かつ上部孔３４２よりは大きく形成されている。胴軸部４６の中間位置には、ダルマ状孔３４の下部孔３４１よりも大きな円盤体からなるストッパ５０が設けられている。ストッパ５０は、上部ブラケット３２ａの縦板部４２と当接してブラケット３２ａを位置決めする。図６に示すように、上部ブラケット３２ａを上部突部４４ａに係止する際には、上部ブラケット３２ａのダルマ状孔の下部孔３４１と上部突部４４ａとを位置合わせし（図６（ａ））、線条フレーム１４全体を壁Ｗ側に移動してダルマ状孔の下部孔３４１内に上部突部４４ａの先端拡大部４８を通した（図６（ｂ））後、線条フレーム１４ごとブラケット３２ａ側を下方に移動させることにより、ダルマ状孔の上部孔３４２側に胴軸部４６を通した状態で係止される（図６（ｃ））。
【００２６】
図４、図７に示すように、下部ブラケット３２ｂに係合する下部突部４４ｂは、例えば、建物の壁Ｗから外部側に向けて略水平方向に突設された突設軸部５２からなる。突設軸部５２は、例えば、建物の壁Ｗに垂直に打ち込こまれるアンカーボルトの壁Ｗから外部に突出されたボルト軸から設けられている。突設軸部５２の中間位置には、円形孔３６よりも大きな円盤体からなるストッパ５０が設けられている。ストッパ５０は、下部ブラケット３２ｂの縦板部４２と当接してブラケット３２ｂを位置決めする。図７に示すように、下部ブラケット３２ｂを下部突部４４ｂに係止する際には、下部ブラケット３２ｂの円形孔３６と突設軸部５２とを位置合わせし（図７（ａ））、線条フレーム１４の下部側を壁Ｗ側に移動して円形孔３６内に突設軸部５２を通す。そして、縦板部４２の正面側から突設軸部５２にナットからなる締結部材５４を螺合して強固に固定される（図７（ｂ））。これにより、風や建物の揺れ等により、ブラケットが突部から不意に外れて太陽電池パネル１２がずれたり、下に落下するようなことがなく、より確実に取付状態を維持できる。なお、この締結部材５４を突設軸部５２に締結する際には、例えば、予め太陽電池パネルと線条フレームの隅部側位置のみを結束しない状態としておき、可撓性シート体の隅部をめくって行うと作業性が良く、スムーズに行うことができる。なお、受部材２２の建物の壁Ｗへの固定方法は、上記の構造に限らず任意でもよく、壁Ｗの素材等を考慮して固定されるとよい。また、取付部２０と受部材２２の構成は、本実施形態のものに限らず任意の構成でもよい。例えば、上記実施形態とは逆に、線条フレーム１４の取付部２０に突起部を設け、建物の壁側の受部材２２に係止孔を形成したブラケットを設ける構成としてもよい。
【００２７】
次に、本実施形態に係る太陽電池パネルの取付装置１０により太陽電池パネル１２を建物の壁Ｗに取り付ける場合について説明する。例えば、予め工場又は現場の地上側において、結束部材１８を介して太陽電池パネル１２を線条フレーム１４に支持し太陽電池パネルユニット３１を構成しておく。例えば、建物の南側の壁Ｗにおいて太陽電池パネル１２を取り付ける位置に受部材２２を固定する。受部材２２は、例えば、ドリル等で建物の壁Ｗに下穴をあけアンカーボルトを打ち込むだけで良く、簡単に行える。そして、地上側等で組み付けておいた太陽電池パネル１２を支持した線条フレーム１４を上空に移動して、受部材２２の位置まで移動する。そして、線条フレーム１４を建物の壁Ｗと対向するように立てた状態で壁側に向けて移動して、取付部２０を受部材２２に位置合わせして係止させる。この際、まず先に、上部ブラケット３２ａと上部突部４４ａとを位置合わせして上部ブラケットのダルマ状孔の下部孔３４１に上部突部４４ａを挿入した後、線条フレーム全体を下方に引き下げて、上部ブラケット３２ａと上部突部４４ａを係止させる。そして、線条フレームの下部側を壁側に移動して下部ブラケット３２ｂを下部突起４４ｂに係合させた後、締結部材５４で締結する。このようにして、地上から高い取付位置において、簡単かつスムーズに作業を行えるので、短時間で安全に施工することができる。同様に、上記作業を繰り返して、建物の壁の所定の範囲に複数の太陽電池パネルを取り付けていき、太陽電池パネルどうしは電気的に直列で接続しつつ、パワーコンディショナや電力制御装置に接続される。太陽電池パネル１２を建物の壁Ｗに取り付けた状態では、太陽光パネル及び取付装置を含む全体が軽量であるので、建物の壁側への負荷が比較的小さく、補強や複雑な構造を用いなくても取り付けを可能としうる。また、太陽電池パネル又は建物の壁の点検やメンテナンス等で太陽電池パネルを取り外す際には、上記とは逆の手順で簡単に取り外すことができるとともに、点検、メンテナンス終了後には同様に簡単に取り付けることができる。
【００２８】
次に、図８ないし図１０を参照しつつ、本発明の第２実施形態の太陽電池パネルの取付装置について説明する。上記した第１実施形態と同一構成、同一部材には、同一符号を付し、その詳細な説明は省略する。図８、図９、図１０に示すように、本実施形態に係る太陽電池パネルの取付装置１０−２では、取付部２０と受部材２２の構成が第１実施形態とは異なっている。本実施形態では、第１実施形態とは逆に、取付部２０が突起が形成された雄部を構成するとともに、受部材２２が係止孔が設けられた雌部を構成している。
【００２９】
取付部２０は、例えば、線条フレーム１４から左右両外側方向に横方向に突設された軸杆部５６を含む。軸杆部５６は、例えば、直杆状の鉄筋からなり、一端部を線条フレームの４つの隅部位置に溶接等により固定されている。そして、軸杆部５６は、他端側を線条フレームを含む平面に沿った横方向に外部に向けて突出される。なお、軸杆部５６が固定される線条フレーム１４の４つの隅部位置には、矩形板状の補強板５７が裏面側から溶接等により固定されており、接続部位を補強している。
【００３０】
受部材２２は、例えば、図８、図９に示すように、孔の貫通方向を建物の壁Ｗと略平行で横方向に設定した貫通横孔６０を形成するリング部材５８を含む。リング部材５８は、例えば、アイナットからなり、建物の壁Ｗに垂直に打ち込まれるアンカーボルトの外部に突出したボルト軸部に螺合締結されている。リング部材５８の貫通横孔６０は、軸杆部５６を内部に挿入して該軸杆部を係止するための係止孔であり、本実施形態では、貫通横孔の内径は、２つの軸杆部５６を同時に挿入しうる大きさに設定されている。リング部材５８は、４つの軸杆部５６に対応して壁において四角形の頂点位置に配置されており、それぞれ軸杆部５６を長手方向の中間位置で係合するような位置に配置されている。さらに、リンク部材５８は、貫通横孔６０に軸杆部５６を挿入させた状態で軸方向に移動可能としている。図８に示すように、軸杆部５６をリング部材５８に係止させる際には、例えば、線条フレーム１４を建物の壁に向けて近付け、壁に略沿うようにＸ１方向に向けて移動させて線条フレーム１４の一方側（左側）の上下の軸杆部５６をリング部材５８の貫通横孔６０に通し、軸杆部５６の基部側まで挿入する。その後、線条フレーム１４の他方側（右側）の上下の軸杆部５６とリング部材５８の貫通横孔６０を位置合わせして線条フレーム１４をＸ２方向に移動して、他方側の軸杆部５６をリング部材５８の貫通横孔６０に通し、４つの軸杆部５６を４つのリング部材５８にそれぞれ係止させる。他の太陽電池パネルユニット３１を横方向に隣接して配置する際には、それぞれのリング部材５８には、隣接して設置される２つの線条フレーム１４の軸杆部５６を同時に受け入れるようになっている。
【００３１】
さらに、本実施形態では、図９、図１０に示すように、軸杆部５６がリング部材５８に係止された状態では、結束軸杆部５６とリング部材５８とを結束して軸杆部５６の軸方向の動きを規制する規制手段が設けられている。本実施形態では、規制手段は、例えば、インシュロック等の結束バンド６２からなる。図９、図１０では、例えば、２本の結束バンド６２を交差して結束されている。これにより、風や建物の揺れ等により、軸杆部５６が不意に外れて太陽電池パネルが落下するようなことがなく、確実に取付状態を維持できる。なお、本実施形態に係る太陽電池パネルの取付装置でも、着脱操作を簡単に、短時間で行える等の上記実施形態同様の作用効果を奏しうる。
【００３２】
次に、図１１、図１２を参照しつつ、本発明の第３実施形態の太陽電池パネルの取付装置１０−３について説明する。上記した第１、第２実施形態と同一構成、同一部材には、同一符号を付しその詳細な説明は省略する。図１１、図１２に示すように、本実施形態では、取付部２０と受部材２２との構成が第１、第２実施形態とは異なっている。本実施形態では、取付部２０は、線条フレームの４つの隅部位置に形成された軸杆部からなるが、該軸杆部５６ａ、５６ｂは、線条フレーム１４から上下方向に突出して形成されている。本実施形態では、上方に向けて突出された上部軸杆部５６ａが、下方に向けて突出された下部軸杆部５６ｂよりも長く形成されている。
【００３３】
受部材２２は、例えば、金属板をＬ字状に曲折して設けられたＬ字ブラケット６４ａ、６４ｂからなる。Ｌ字ブラケット６４ａ、６４ｂは、建物の壁Ｗに対向して密着配置される鉛直板部と、鉛直板部から水平方向に突出された水平板部とを含み、鉛直板部をボルト６８で建物の壁Ｗに固定している。Ｌ字ブラケットの水平板部の中間位置には、軸杆部５６ａ、５６ｂを通すための係止孔としての貫通縦孔６６が貫通されている。例えば、上方側のＬ字ブラケット６４ａは、上部軸杆部５６ａの中間位置で係合する位置に設定されるとともに、下方側のＬ字ブラケット６４ｂは、下部軸杆部５６ｂの基部側で係合する位置に設定される。なお、上方側と下方側に配置されるＬ字ブラケット６４ａ、６４ｂは同一の構造のものを上下反転した状態で建物の壁Ｗに固定されている。図１１に示すように、軸杆部５６ａ、５６ｂをＬ字ブラケット６４ａ、６４ｂに係止させる際には、例えば、線条フレーム１４を建物の壁に向けて近付け、壁に略沿うように上方向（Ｙ１方向）に向けて移動させて線条フレーム１４の上部の軸杆部５６ａをＬ字ブラケット６４の貫通縦孔６６に通し、軸杆部５６ａの基部側まで挿入する。その後、下部側の軸杆部５６ｂとＬ字ブラケット６４の貫通縦孔６６を位置合わせして線条フレーム１４を下方向（Ｙ２方向）に移動して、線条フレーム１４の下部の軸杆部５６ｂをＬ字ブラケット６４の貫通縦孔６６に通し、４つの軸杆部５６ａ、５６ｂを４つのＬ字ブラケット６４にそれぞれ係止させる。図１２に示すように、線条フレーム１４の隅部下端側が下方側のＬ字ブラケット６４に載置して係止される。本実施形態に係る太陽電池パネルの取付装置でも、着脱操作を簡単に、短時間で行える等の上記実施形態同様の作用効果を奏しうる。
【００３４】
以上説明した本考案の太陽電池パネルの取付装置は、上記した実施形態のみの構成に限定されるものではなく、実用新案登録請求の範囲に記載した本考案の本質を逸脱しない範囲において、任意の改変を行ってもよい。
【産業上の利用可能性】
【００３５】
本考案の太陽電池パネルの取付装置は、例えば、薄くて軽いシート状の太陽電池パネルをビル等の建物の外壁に簡単、短時間の作業で確実に取り付けて、効果的に太陽光発電を行うことができる。
【符号の説明】
【００３６】
１０    取付装置
１２    太陽電池パネル
１４    線条フレーム
１６    支持用孔
１８    結束部材
２０    取付部
２２    受部材
２４    太陽電池
２６    可撓性シート体
３０    棒状部材
３２ａ、３２ｂ    ブラケット
３４    ダルマ状孔
３６    円形孔
４２    縦板
４４ａ、４４ｂ    突部
４６    胴軸部
４８    先端拡大部
５６、５６ａ、５６ｂ    軸杆部
６０    貫通横孔
６４    貫通縦孔
Ｗ    建物の壁
【図１】
0003165597.tif 000003
【図２】
0003165597.tif 000004
【図３】
0003165597.tif 000005
【図４】
0003165597.tif 000006
【図５】
0003165597.tif 000007
【図６】
0003165597.tif 000008
【図７】
0003165597.tif 000009
【図８】
0003165597.tif 000010
【図９】
0003165597.tif 000011
【図１０】
0003165597.tif 000012
【図１１】
0003165597.tif 000013
【図１２】
0003165597.tif 000014